(57)【特許請求の範囲】
【請求項１】
容器の口部に着脱可能な形で取り付けられる円筒状のカバー部材に、ボタン部材が、抜け止め状態で、当該容器から突出する噴射ステムを押し込むことができないロック位置と当該噴射ステムを押し込むことができるロック解除位置とに回動自在に取り付けられ、かつ、当該ボタン部材にそのフタ部材が取り付けられて、当該ボタン部材を当該ロック解除位置に回動設定することにより容器内容物の噴射動作が可能となる靴用噴射アダプタにおいて、
前記カバー部材は、
周面に形成された内容物通過開口と、
上縁内周に形成された容器取付部と、
下縁外周に形成された下向きの第１のロック用突き当て部と、
当該第１のロック用突き当て部の周方向の一部を切り欠いて形成された第１のロック解除部と、
下縁内周に形成された第１の係合爪と、を備え、
前記ボタン部材は、
前記噴射ステムをはめ付けるステム嵌合部，容器内容物の噴射部、および当該ステム嵌合部と当該噴射部との間を連通させる液通過孔が、それぞれ形成されたヘッド部と、
当該ヘッド部の外周に形成されて、前記カバー部材の前記第１の係合爪との係合作用により当該カバー部材を抜け止め保持する第２の係合爪および当該カバー部材の下縁が入り込む環状溝、並びに当該環状溝の周囲外縁に形成された上向きの第２のロック用突き当て部および第２のロック解除部からなるカバー部材取付部と、
当該ヘッド部との間に当該カバー部材取付部を挟んで形成されたキャップ部と、を備え、
前記フタ部材は、
前記口部に着脱可能に取り付けられるガス抜き時容器取付部と、
当該ガス抜き時容器取付部の作用によって当該フタ部材が前記容器の当該口部に取り付けられたとき、前記噴射ステムを押し込んでその押し込み状態に保持するステム押込み部と、を備え、
前記カバー部材が前記カバー部材取付部に抜け止め保持され、かつ、前記容器取付部が前記口部に取り付けられた状態のとき、
前記ボタン部材は、
前記噴射ステムに互いの軸線が一致した着脱自在な形で連結され、かつ前記カバー部材に対して、当該軸線を中心として前記ロック位置と前記ロック解除位置とに回動自在に設けられ、
前記ロック位置において、前記第２のロック用突き当て部が前記カバー部材の前記第１のロック用突き当て部に突き当たることにより、前記軸線の方向の動きが規制され、
前記ロック解除位置において、当該第２のロック用突き当て部と当該第１のロック用突き当て部との突き当たり状態が解除されることにより、当該軸線の方向へ当該噴射ステムを駆動でき、
前記容器のガス抜き時には、
前記カバー部材および前記ボタン部材がそれぞれ抜け止め保持状態のまま前記口部および前記噴射ステムから外されて、当該ボタン部材に設けた前記フタ部材とともに全体を反転させた形で、当該フタ部材の前記ガス抜き時容器取付部が当該口部に取り付けられる、
ことを特徴とする靴用噴射アダプタ。
【請求項２】
前記ステム押込み部の周囲に、前記口部に着脱可能に取り付く複数の弾性片を設けて前記ガス抜き時容器取付部が形成されている、
ことを特徴とする請求項１記載の靴用噴射アダプタ。
【請求項３】
前記ステム押込み部が、ガス抜き時に前記ガス抜き時容器取付部を前記口部に取り付けたとき、前記噴射ステムの先が入り込む筒部と、当該筒部の内周面に軸方向に形成されるリブと、当該筒部の先に径方向に設けるブリッジ部とから形成されている、
ことを特徴とする請求項１または請求項２に記載の靴用噴射アダプタ。
【発明の詳細な説明】
【技術分野】
【０００１】
この発明は、容器の口部に取り付けて、容器内に収容する消臭液などの内容物を、ブーツ、スニーカー、長靴などの靴内に向けて噴射する靴用噴射アダプタに関する。詳しくは、容器から突出する噴射ステムにボタン部材を連結して容器に取り付けられ、使用時に靴内に入れられて、ボタン部材を介して噴射ステムが押し込まれたとき、その噴射ステムから吐出する容器の消臭液等の内容物がボタン部材内を通してボタン部材の噴射部から靴内に向けて噴射される靴用噴射アダプタに関する。
【背景技術】
【０００２】
従来、噴射アダプタの中には、例えば特許文献１に記載されているように、ボタン部材の外周を取り囲むようにカバー部材が設けられ、容器に対してそのカバー部材を取り付けるときそのカバー部材内に組み込まれているボタン部材が、容器から突出する噴射ステムに対して着脱可能に取り付けられるものがある。そして、この噴射アダプタでは、カバー部材に第１嵌着部と第２嵌着部とが設けられ、容器に対して第１嵌着部でカバー部材を装着したときには、使用状態となり、第２嵌着部でカバー部材に装着したときにはガス抜き状態になるようにしていた。
【０００３】
使用状態では、ボタン部材を噴射ステムに装着させて、ボタン部材の押圧操作により、噴射ステムから吐出された内容物をボタン部材の噴射部から噴射させる。他方、ガス抜き状態では、ボタン部材を噴射ステムに押し付けて、噴射ステムからボタン部材に向けて残留内容物を噴射させる状態で保持される。
【先行技術文献】
【特許文献】
【０００４】
【特許文献１】特許第３８１３８３３号公報
【発明の概要】
【発明が解決しようとする課題】
【０００５】
ところが、特許文献１に記載されているような噴射アダプタを容器の口部に取り付け、例えばブーツ内消臭用噴射器として使用する場合には、容器を手で持ってボタン部材を押し下げることとなるから、該噴射器をブーツ内の奥深くまで入り込ませることができず、足を入れるブーツの開口付近から消臭液を噴射することとなり、このためつま先部分の空気を押し退けてつま先部分にまで消臭液が届きにくく、靴内に満遍なく消臭液を行き渡らせることができず、消臭効果を十分に発揮することができなかった。また、従来の靴用噴射アダプタにあっては、容器に対する噴射アダプタの取り付け状態によって、使用状態としたりガス抜き状態としたりするものはなかった。のみならず、使用取り付け状態にあって、誤ってボタン部材を押圧操作したとき、容器の内容物がボタン部材の噴射部から噴射されてしまうおそれがあった。
【０００６】
そこで、この発明の目的は、靴用噴射アダプタにあって、消臭効果を十分に発揮することができる一方、ガス抜きを容易に行い、廃棄時の利便性を高めるとともに、誤ってボタン部材を押圧操作して容器内容物を噴射してしまい、排出した内容物で衣服や周囲を汚すおそれをなくすことにある。
【課題を解決するための手段】
【０００７】
本発明はこの課題を次のようにして解決する。
なお、ここでは単なる説明の便宜上、本発明の構成要素それぞれに図面中の対応参照番号を適宜付している。
（１）容器10の口部11に着脱可能な形で取り付けられる円筒状のカバー部材40に、ボタン部材50が、抜け止め状態で、当該容器10から突出する噴射ステム21を押し込むことができないロック位置と当該噴射ステム21を押し込むことができるロック解除位置とに回動自在に取り付けられ、かつ、当該ボタン部材50にそのフタ部材70が取り付けられて、当該ボタン部材50を当該ロック解除位置に回動設定することにより容器内容物の噴射動作が可能となる靴用噴射アダプタ30において、
前記カバー部材40は、
周面に形成された内容物通過開口42と、
上縁内周に形成された容器取付部41と、
下縁外周に形成された下向きの第１のロック用突き当て部44と、
当該第１のロック用突き当て部44の周方向の一部を切り欠いて形成された第１のロック解除部45と、
下縁内周に形成された第１の係合爪46と、を備え、
前記ボタン部材50は、
前記噴射ステム21をはめ付けるステム嵌合部51a，容器内容物の噴射部90、および当該ステム嵌合部51aと当該噴射部90との間を連通させる液通過孔51dが、それぞれ形成されたヘッド部51と、
当該ヘッド部51の外周に形成されて、前記カバー部材40の前記第１の係合爪46との係合作用により当該カバー部材40を抜け止め保持する第２の係合爪51bおよび当該カバー部材40の下縁が入り込む環状溝52、並びに当該環状溝52の周囲外縁に形成された上向きの第２のロック用突き当て部55および第２のロック解除部56からなるカバー部材取付部54と、
当該ヘッド部51との間に当該カバー部材取付部54を挟んで形成されたキャップ部53と、を備え、
前記フタ部材70は、
前記口部11に着脱可能に取り付けられるガス抜き時容器取付部74と、
当該ガス抜き時容器取付部74の作用によって当該フタ部材70が前記容器10の当該口部11に取り付けられたとき、前記噴射ステム21を押し込んでその押し込み状態に保持するステム押込み部73と、を備え、
前記カバー部材40が前記カバー部材取付部54に抜け止め保持され、かつ、前記容器取付部41が前記口部11に取り付けられた状態のとき、
前記ボタン部材50は、
前記噴射ステム21に互いの軸線が一致した着脱自在な形で連結され、かつ前記カバー部材40に対して、当該軸線を中心として前記ロック位置と前記ロック解除位置とに回動自在に設けられ、
前記ロック位置において、前記第２のロック用突き当て部55が前記カバー部材40の前記第１のロック用突き当て部44に突き当たることにより、前記軸線の方向の動きが規制され、
前記ロック解除位置において、当該第２のロック用突き当て部55と当該第１のロック用突き当て部44との突き当たり状態が解除されることにより、当該軸線の方向へ当該噴射ステム21を駆動でき、
前記容器10のガス抜き時には、
前記カバー部材40および前記ボタン部材50がそれぞれ抜け止め保持状態のまま前記口部11および前記噴射ステム21から外されて、当該ボタン部材50に設けた前記フタ部材70とともに全体を反転させた形で、当該フタ部材70の前記ガス抜き時容器取付部74が当該口部11に取り付けられる、
構成態様のものを用いる。
（２）上記（１）において、
前記ステム押込み部73の周囲に、前記口部11に着脱可能に取り付く複数の弾性片78を設けて前記ガス抜き時容器取付部74が形成されている、
構成態様のものを用いる。
（３）上記（１），（２）において、
前記ステム押込み部73が、ガス抜き時に前記ガス抜き時容器取付部74を前記口部11に取り付けたとき、前記噴射ステム21の先が入り込む筒部75と、当該筒部75の内周面に軸方向に形成されるリブ76と、当該筒部75の先に径方向に設けるブリッジ部77とから形成されている、
構成態様のものを用いる。
【０００８】
ここで、カバー部材は、ボタン部材から噴出される内容物を通過する内容物通過開口が設けられており、また容器の口部に着脱可能に取り付けられる容器取付部を有する。
【０００９】
ボタン部材は、カバー部材の容器取付部を容器の口部に取り付けたとき、容器から突出する噴射ステムに互いの軸線を一致して着脱自在に連結され、容器に固定されるカバー部材に対して、軸線を中心としてロック位置とロック解除位置とに回動自在に設けられるとともに、噴射ステムを押し込み可能に軸線方向に移動自在に設けられる。
【００１０】
また、フタ部材は、ボタン部材に取り付けられる。そして、そのフタ部材には、ガス抜き時に容器の口部に着脱可能に取り付けられるガス抜き時容器取付部、およびそのガス抜き時容器取付部が容器に取り付けられたとき、噴射ステムを押し込んでその押し込み状態で保持するステム押込み部が設けられている。
【００１１】
前記カバー部材は、円筒状で、周面に内容物通過開口があけられており、上縁内周に容器取付部が設けられるとともに、下縁外周に下向きのロック用突き当て部が形成され、またそのロック用突き当て部の周方向の一部を切り欠いてロック解除部が形成されており、かつ下縁内周に係合爪が形成されている一方、
前記ボタン部材には、ヘッド部と、キャップ部と、それらの間に設けられてヘッド部を被ってカバー部材が取り付けられるカバー部材取付部とからなり、ヘッド部には、互いの軸線を一致して噴射ステムに着脱自在にはめ付けるステム嵌合部と、容器内容物の噴射部と、それら間を連通して噴射ステムから吐出された容器内容物を通過して噴射部から噴出する液通過孔とが設けられ、前記カバー部材取付部には、ヘッド部の外周に形成されて、カバー部材の係合爪と係合してそのカバー部材を抜け止めする係合爪と、カバー部材の下縁が入り込む環状溝と、その環状溝の周囲外縁に設ける上向きのロック用突き当て部およびロック解除部とが形成されるように構成するとよい。
【００１２】
容器内容物の噴射部は、例えば、ボタン部材のノズル部材嵌合穴にノズル部材が圧入されて形成され、ボタン部材の液通過孔を通過した容器内容物がノズル部材の噴口から噴出されて、カバー部材の内容物通過開口を通過して靴内に噴射される。
【００１３】
前記ステム押込み部は、周囲に、容器の口部に弾性をもって着脱可能に取り付く複数の弾性片を設けてガス抜き時容器取付部が形成されているとよい。
【００１４】
また、そのステム押込み部は、ガス抜き時にガス抜き時容器取付部を容器の口部に取り付けたとき、噴射ステムの先が入り込む筒部と、その筒部の内周面に軸方向に形成されるリブと、筒部の先に径方向に横切るように設けるブリッジ部とから形成されるようにするとよい。
【００１５】
そして、この発明に係る靴用噴射アダプタは、カバー部材の容器取付部が容器の口部に取り付けられ、カバー部材を保持するボタン部材のステム嵌合部が、容器から突出する噴射ステムに互いの軸線を一致してはめ付けられて連結される。
【００１６】
その後、この発明に係る靴用噴射アダプタが容器に取り付けられた噴射器は、容器を持って、ボタン部材が軸線を中心として回動されてロック位置からロック解除位置とされて、靴内に挿入され、ボタン部材が直接またはフタ部材を介して間接的に靴底に押し当てられる。
【００１７】
しかる後、該噴射器は、容器を押し下げてボタン部材が靴底により相対的に押し上げられることにより、噴射ステムが容器内に押し込まれて、噴射ステムから吐出される容器の内容物が、ボタン部材内を通して噴出され、カバー部材の内容物通過開口を通過して靴内に噴射される。
【００１８】
使用後は、この発明に係る靴用噴射アダプタが容器に取り付けられた噴射器は、容器から手を離すことにより、噴射ステムに働く付勢力で噴射ステムが戻されて容器が押し上げられ、噴射ステムからの内容物の吐出が停止される。
【００１９】
再使用時には、該噴射器は、再度容器を押し下げて噴射ステムが容器内に押し込まれ、容器の内容物が噴射ステムからボタン部材内を通して噴出され、カバー部材の内容物通過開口を通過して再び靴内に噴射される。
【００２０】
使用後、この発明に係る靴用噴射アダプタが容器に取り付けられた噴射器は、容器を持って、ボタン部材が軸線を中心として回動されてロック解除位置からロック位置へと戻され、カバー部材とボタン部材との間に形成される互いのロック用突き当て部が突き当たって噴射ステムの軸方向への移動が規制された噴射ロック状態とされる。
【００２１】
他方、この発明に係る靴用噴射アダプタにおいては、ガス抜き時には、カバー部材の容器取付部が容器の口部から取り外されるとともに、ボタン部材と噴射ステムとの連結が解除され、今度は、フタ部材のガス抜き時容器取付部が容器の口部に取り付けられ、そのガス抜き時容器取付部を容器に取り付けたとき、フタ部材のステム押込み部で噴射ステムを押し込んでその押し込み状態で保持され、容器内に残留する内容物が噴射ステムから噴射される。
【発明の効果】
【００２２】
したがって、この発明に係る靴用噴射アダプタによれば、使用時に容器の口部に取り付けられ、靴内の奥深くまで入れて靴底上に置かれる状態とし、そののち容器を押し下げてボタン部材が靴底により相対的に押し上げられることにより、噴射ステムが容器内に押し込まれて、噴射ステムから吐出される容器の内容物が、ボタン部材内を通して噴出され、カバー部材の内容物通過開口を通過して靴内に噴射されるものであり、靴内に満遍なく行き渡るように内容物を効率よく噴射させ、消臭効果を十分に発揮することができる。また、ガス抜き時に、カバー部材の容器取付部に代えてフタ部材のガス抜き時容器取付部を容器の口部に取り付けるだけでよいので、ガス抜きを容易に行い、廃棄時の利便性を高めることができるとともに、使用後には、容器を持ってボタン部材を回動してロック解除位置からロック位置とし、ボタン部材が、カバー部材とボタン部材との間に形成される互いのロック用突き当て部を突き当てて噴射ステムの軸方向への移動を規制する噴射ロック状態とされるので、誤ってボタン部材を押圧操作して容器内容物を噴射してしまい、排出した内容物で衣服や周囲を汚すおそれをなくすことができる。
【００２３】
請求項２に記載の発明に係る靴用噴射アダプタによれば、カバー部材の下縁外周に下向きのロック用突き当て部が形成され、その周方向の一部を切り欠いてロック解除部が形成されるとともに、ボタン部材に上向きのロック用突き当て部が形成され、そのロック用突き当て部の周方向の一部を切り欠いてロック解除部が形成されるので、カバー部材に対してボタン部材を回動操作することにより、互いのロック用突き当て部を対向するロック位置と、互いのロック解除部を対向するロック解除位置とを的確に切り換えて、内容物の噴射ロックおよびそのロック解除を確実に行うことができる。
【００２４】
請求項３に記載の発明に係る靴用噴射アダプタによれば、フタ部材のステム押込み部の周囲に、容器の口部に着脱可能に取り付く複数の弾性片を設けてガス抜き時容器取付部が形成されているので、ガス抜き時における容器の口部に対するフタ部材の着脱を容易とすることができる。
【００２５】
請求項４に記載の発明に係る靴用噴射アダプタによれば、ステム押込み部が、ガス抜き時にガス抜き時容器取付部を容器の口部に取り付けたとき、噴射ステムの先が入り込む筒部と、その筒部の内周面に軸方向に形成されるリブと、筒部の先に径方向に設けるブリッジ部とから形成されているので、噴射ステムの高さのバラツキにも対応して、ガス抜き時に噴射ステムを押し込んで常にその押込み状態を確実に保持することができる一方、ブリッジ部でステム押込み部の強度を保持するとともに、噴射内容物をブリッジ部に当てて噴射内容物の勢いを弱め、また噴射方向を拡散することができる。
【図面の簡単な説明】
【００２６】
【図１】この発明に係る靴用噴射アダプタが容器に取り付けられた噴射器において、噴射ロック状態にあるとき、この発明に係る靴用噴射アダプタを断面で示す該噴射器の容器一部省略側面図である。
【図２】図１に示す噴出器の靴用噴射アダプタで用いるカバー部材で、（Ａ）は平面図、（Ｂ）はそのＢ−Ｂ線矢示方向断面図、（Ｃ）は底面図、（Ｄ）はそのＤ−Ｄ線矢示方向断面図である。
【図３】図１に示す噴出器の靴用噴射アダプタで用いるボタン部材で、（Ａ）は平面図、（Ｂ）は短径方向に切って示すそのＢ−Ｂ線矢示方向断面図、（Ｃ）は長径方向に切って示すＣ−Ｃ線矢示方向断面図、（Ｄ）は（Ａ）の正面図である。
【図４】図１に示す噴出器の靴用噴射アダプタで用いるノズル部材で、（Ａ）は中央縦断面図、（Ｂ）は側面図である。
【図５】図１に示す噴出器の靴用噴射アダプタで用いるフタ部材で、（Ａ）は平面図、（Ｂ）はその中央縦断面図である。
【図６】図１に示す噴出器において、噴射ロック解除状態にあるとき、この発明に係る靴用噴射アダプタを断面で示す該噴射器の容器一部省略側面図である。
【図７】同噴出器において、噴射作動状態にあるとき、この発明に係る靴用噴射アダプタを断面で示す該噴射器の容器一部省略側面図である。
【図８】同噴出器において、ガス抜き状態にあるとき、この発明に係る靴用噴射アダプタを断面で示す該噴射器の容器一部省略側面図である。
【発明を実施するための最良の形態】
【００２７】
以下、図面を参照しつつ、この発明を実施するための最良の形態につき説明する。
図１には、この発明に係る靴用噴射アダプタが容器に取り付けられている噴射器における噴射ロック状態を示す。
【００２８】
図中符号１０は、内部に消臭液等の内容物が収容されている容器である。容器１０の口部１１には、公知のエアゾール式やポンプ式の噴射装置２０が取り付けられており、その噴射装置２０の噴射ステム２１が容器１０から突出するように設けられている。図示例では、口部１１にマウンテンキャップ１２が形成されており、そのマウンテンキャップ１２にはめ付けて容器１０に、この発明に係る靴用噴射アダプタ３０が取り付けられている。
【００２９】
靴用噴射アダプタ３０は、容器１０の口部１１に取り付けられるカバー部材４０と、噴射ステム２１に取り付けられて、カバー部材４０に対して噴射ステム２１の軸線Ｌ１を中心としてロック位置とロック解除位置とに回動自在に設けられるボタン部材５０と、そのボタン部材５０の底を塞ぐように取り付けられるフタ部材７０とから構成されている。
【００３０】
はじめに、カバー部材４０は、図２の（Ａ）〜（Ｄ）に示すように、円筒形状をなす。そして、上縁内周に内向きに突出してリブ状の容器取付部４１が周方向に形成されている。また、周面には、円形の内容物通過開口４２が１つ設けられ、使用時に後述するノズル部材６０から噴出された内容物を通過し得るようになっている。
【００３１】
さらに、カバー部材４０は、下縁外周に下向き段部を設けてロック用突き当て部４４が形成され、そのロック用突き当て部４４の周方向の一部が、切り欠かれて、径方向の対向する位置に一対のロック解除部４５が形成されている。ロック解除部４５には、図２（Ｂ）、（Ｃ）に示すようにａの幅で下縁からの段差の大きな下向き段部を有し、各々内容物通過開口４２から周方向両側に９０度ずれた位置に形成されている。また、下縁内周にも内向きに突出し、係合爪４６が周方向にリブ状に形成されている。
【００３２】
次に、ボタン部材５０は、図３の（Ａ）〜（Ｄ）に示すように、大別すると、中央から上向きに突出するヘッド部５１と、そのヘッド部５１の外周に形成されている環状溝５２を設けて形成されるカバー部材取付部５４と、そのカバー部材取付部５４を挟んで設けられる半たまご型のキャップ部５３とで構成されている。
【００３３】
そして、ヘッド部５１には、中心に入口部がテーパー状になっているステム嵌合部５１ａが軸線Ｌ２に沿って軸穴状に設けられ、また周面から外向きに突出して外周に弧状の係合爪５１ｂが周方向に形成されている。さらに、半たまご型のキャップ部５３の短径方向に向けて周面に外向きに開口して公知のノズル部材嵌合穴５１ｃが設けられ、図３（Ｃ）に示すように、そのノズル部材嵌合穴５１ｃとステム嵌合部５１ａとを連通して内部に液通過孔５１ｄが形成されている。
【００３４】
カバー部材取付部５４には、ヘッド部５１の外周に、カバー部材４０の係合爪４６と係合してそのカバー部材４０を抜け止めする上述の係合爪５１ｂと、カバー部材４０の下縁が入り込む環状溝５２と、その環状溝５２の周囲外縁に設ける上向き段部を設けて形成されるロック用突き当て部５５と、そのロック用突き当て部５５の周方向の一部を切り欠いて、径方向の対向する位置に一部が環状溝５２内に入り込むようにして設けられている一対のロック解除部５６とが形成されている。ロック解除部５６は、図３（Ａ）に示すようにｂの幅でロック用突き当て部５５より低い段差の上向き段部を有し、各々キャップ部５３の短径方向に形成されている。このボタン部材５０のロック解除部５６の幅ｂは、上述したカバー部材４０のロック解除部４５の幅ａより小さく形成され、ボタン部材５０のロック解除部５６がカバー部材４０のロック解除部４５内に入り込むことができるようになっている。
【００３５】
また、キャップ部５３には、下縁内周に、内向きに突出して係止突起５７が周方向に形成されるとともに、段状に曲げられて下縁にフタ嵌合部５８が設けられている。
【００３６】
次に、図１には示されていないノズル部材６０は、図４の（Ａ）および（Ｂ）に示すように、円板状の頂部６１と、その裏面側から突出する筒状のスカート部６２とで構成される。頂部６１には、中心に噴口６３があけられ、スカート部６２によって囲まれている内面には外周からその噴口６３に向けて径方向にスクリュー溝６４が設けられている。他方、スカート部６２には、外面に、外向きに突出して係止爪６５が形成され、内面には、軸方向に長い長方形状の平面部６６が周方向にいくつか（図示例では４つ）間隔をあけて設けられている。
【００３７】
次いで、フタ部材７０は、図５の（Ａ）および（Ｂ）に示すように、外形状がたまご型をなす台形状で、天板部７１と周板部７２とから構成されている。天板部７１には、中央位置に上向きに突出してステム押込み部７３が形成されるとともに、そのステム押込み部７３を中心としてまわりにガス抜き時容器取付部７４が設けられている。
【００３８】
ステム押込み部７３には、天板部７１から突出する筒部７５と、その筒部７５の内周面に軸方向に設けられるいくつか（図示例では一対）のリブ７６と、筒部７５の先に径方向に横切って設けるブリッジ部７７とから形成されている。他方、ガス抜き時容器取付部７４には、ステム押込み部７３を中心として弧状をなす３つの弾性片７８が、それぞれ先端に係止爪７９を内向きに設けて天板部７１から垂下するように形成されている。
【００３９】
周板部７２には、外面から外向きに突出して係止突起８０が周方向に形成されている。また、下縁周囲に、鍔部８１が設けられている。
【００４０】
そして、図示例の靴用噴射アダプタ３０が組み立てられるときは、ボタン部材５０のノズル部材嵌合穴５１ｃに、頂部６１を外向きにノズル部材６０が圧入され、係止爪６５で抜け止めてノズル部材６０が取り付けられ、図６に示すようにボタン部材５０に容器内容物の噴射部９０が形成される。その後、いずれからでもよいが、ボタン部材５０にフタ部材７０およびカバー部材４０が各々取り付けられる。はじめにフタ部材７０が取り付けられるとすると、ボタン部材５０のキャップ部５３内にフタ部材７０が、互いの短径方向と長径方向とをともに合わせて天板部７１側から入れられ、係止突起５７と係止突起８０とを掛け止めて鍔部８１がフタ嵌合部５８にはめ付けられ、ボタン部材５０内にフタ部材７０が取り付けられる。
【００４１】
続いて、カバー部材４０が取り付けられるときは、カバー部材４０内に下方からボタン部材５０のヘッド部５１が挿入され、カバー部材４０の下縁をボタン部材５０の環状溝５２に入り込ませ、カバー部材４０のロック用突き当て部４４がボタン部材５０のロック用突き当て部５５に突き当てられ、カバー部材４０の係合爪４６とボタン部材５０の係合爪５１ｂとが互いに相手方を乗り越えて掛け止めされ、カバー部材４０が抜け止め保持される。
【００４２】
そして、この例の靴用噴射アダプタ３０は、カバー部材４０の上縁を変形することにより、カバー部材４０の容器取付部４１が、図１に示すように、マウンテンキャップ１２の顎部にはめ付けられて、容器１０の口部１１に対して着脱可能に取り付けられる。このとき同時に、カバー部材４０を保持するボタン部材５０のステム嵌合部５１ａが、容器１０から突出する噴射ステム２１の先端をテーパー状の入口部で案内して噴射ステム２１にはめ付けて互いの軸線Ｌ１、Ｌ２を一致して連結され、容器１０に取り付けられる。このように、ステム嵌合部５１ａを噴射ステム２１にはめ付けたとき、ボタン部材５０は、カバー部材４０に対して、軸線Ｌ１、Ｌ２を中心としてロック位置とロック解除位置とに回動自在に設けられるとともに、噴射ステム２１を押し込み可能に軸線方向に移動自在に設けられる。
【００４３】
しかし、噴出器の不使用時は、不用意に噴射ステム２１を押し込むことがないように、カバー部材４０のロック用突き当て部４４がボタン部材５０のロック用突き当て部５５に突き当てられる図１に示す噴射ロック状態で保持され、フタ部材７０を下に図示のように立てて保管されるようになっている。この噴射ロック状態では、ボタン部材５０の噴射部９０は、カバー部材４０の内容物通過開口４２の位置から、９０度ずれた位置にある。
【００４４】
次いで、図示噴射器を使用するときには、容器１０を持って、ボタン部材５０が軸線Ｌ１、Ｌ２を中心として回動されて、カバー部材４０のロック解除部４５にボタン部材５０のロック解除部５６が位置合わせされ、ロック解除位置とされる。すると、図６に示すように、ボタン部材５０の噴射部９０がカバー部材４０の内容物通過開口４２と同じ向きとなる。その後、靴用噴射アダプタ３０が靴内に挿入され、ボタン部材５０が直接靴底に押し当てられるようにしてもよいが、この例ではフタ部材７０を介して間接的に靴底に押し当てられる。
【００４５】
しかる後、図７に示すように、容器１０を押し下げて靴底により相対的に靴用噴射アダプタ３０が押し上げられ、ボタン部材５０を介して噴射ステム２１が容器１０内に押し込まれて、噴射部９０がカバー部材４０の内容物通過開口４２と完全に対向する位置となる。そして、噴射ステム２１から吐出される容器１０の内容物が、ステム嵌合部５１ａから液通過孔５１ｄを通してノズル部材嵌合穴５１ｃに導かれ、ボタン部材５０内を通してノズル部材６０の噴口６３から噴出され、カバー部材４０の内容物通過開口４２を通過して靴内に噴射される。
【００４６】
使用後は、容器１０から手を離すことにより、噴射ステム２１に働く付勢力で噴射ステム２１が戻されて容器１０が押し上げられ、噴射ステム２１からの内容物の吐出が停止される。再使用時には、再度容器１０を押し下げて図７に示すように噴射ステム２１が容器１０内に押し込まれ、容器１０の内容物が噴射ステム２１からボタン部材５０内を通して噴射部９０から噴出され、カバー部材４０の内容物通過開口４２を通過して靴内に噴射される。
【００４７】
使用後は、容器１０を持って、ボタン部材５０が軸線Ｌ１、Ｌ２を中心として回動されて図１に示す噴射ロック位置に戻され、カバー部材４０とボタン部材５０との間に形成される互いのロック用突き当て部４４、５５が突き当たって噴射ステム２１の軸方向への移動が規制される。
【００４８】
さて、この発明に係る靴用噴射アダプタ３０では、ガス抜き時には、カバー部材４０の容器取付部４１がマウンテンキャップ１２の顎部から外されて容器１０の口部１１から取り外され、同時にボタン部材５０が噴射ステム２１から外されて、図８に示すように反転されて今度はフタ部材７０のガス抜き時容器取付部７４の係止爪７９が弾性片７８の弾性に抗してマウンテンキャップ１２の顎部にはめ付けられて容器１０の口部１１に着脱自在に取り付けられる。そして、そのガス抜き時容器取付部７４を容器１０に取り付けたとき、噴射ステム２１の先が筒部７５内に入り込んで内部のリブ７６に当たり、フタ部材７０のステム押込み部７３で噴射ステム２１を押し込んで噴射ステム２１が押し込み状態で保持され、容器１０内に残留する内容物が噴射ステム２１から噴射されてガス抜きされる。
【００４９】
なお、図示例では、ステム押込み部７３にリブ７６を設けているので、容器１０から突出する噴射ステム２１の突出高さにバラツキがあっても、そのバラツキに応じて適宜リブ７６が潰れて噴射ステム２１を確実に押し込むことができる。また、ステム押込み部７３にはブリッジ部７７を設けるので、ステム押込み部７３の強度を高めることができる一方、ブリッジ部７７に噴射ガスを当ててその勢いを弱めることもできる。
【００５０】
また、図示例では、ボタン部材５０を９０度回転させてロックを解除するとき、当然ボタン部材５０とともにそれに取り付けられるフタ部材７０も一緒に回動するが、カバー部材４０は容器１０に食い付いたまま回動しないようになっている。つまり、ロック状態では、ボタン部材５０が容易に回動しないようにボタン部材５０とカバー部材４０との間には若干の摩擦抵抗αはあるが、容器１０とカバー部材４０との間にはその摩擦抵抗αより大きな摩擦抵抗βが働くように設計されている。
【符号の説明】
【００５１】
１０    容器
１１    口部
１２    マウンテンキャップ
２０    噴射装置
２１    噴射ステム
３０    靴用噴射アダプタ
４０    カバー部材
４１    容器取付部
４２    内容物通過開口
４４    ロック用突き当て部
４５    ロック解除部
４６    係合爪
５０    ボタン部材
５１    ヘッド部
５１ａ  ステム嵌合部
５１ｂ  係合爪
５１ｃ  ノズル部材嵌合穴
５１ｄ  液通過孔
５２    環状溝
５３    キャップ部
５４    カバー部材取付部
５５    ロック用突き当て部
５６    ロック解除部
５７    係止突起
５８    フタ嵌合部
６０    ノズル部材
６１    頂部
６２    スカート部
６３    噴口
６４    スクリュー溝
６５    係止爪
６６    平面部
７０    フタ部材
７１    天板部
７２    周板部
７３    ステム押込み部
７４    ガス抜き時容器取付部
７５    筒部
７６    リブ
７７    ブリッジ部
７８    弾性片
７９    係止爪
８０    係止突起
８１    鍔部
９０    噴射部
Ｌ１    噴射ステムの軸線
Ｌ２    ステム嵌合部の軸線
【図１】
0005397852.tif 000002
【図２】
0005397852.tif 000003
【図３】
0005397852.tif 000004
【図４】
0005397852.tif 000005
【図５】
0005397852.tif 000006
【図６】
0005397852.tif 000007
【図７】
0005397852.tif 000008
【図８】
0005397852.tif 000009